(57)【特許請求の範囲】
【請求項１】
下記の特性（１）〜（３）を有する熱可塑性樹脂層（Ｉ）と下記の特性（ｉ）〜（ｉｉｉ）を有するポリエチレン層（ＩＩ）とを含む圧力容器ライナー用積層体であって、
熱可塑性樹脂層（Ｉ）は、エチレン−アクリル酸メチル共重合体、エチレン−アクリル酸エチル共重合体、及び、エチレン−酢酸ビニル共重合体からなる群より選択される少なくとも一種の共重合体を含み、
熱可塑性樹脂層（Ｉ）の厚み割合が１〜９０％、ポリエチレン層（ＩＩ）の厚み割合が９９〜１０％であることを特徴とする圧力容器ライナー用積層体。
特性（１）：密度が０．９００〜０．９７０ｇ／ｃｍ３である
特性（２）：温度１９０℃、荷重２．１６ｋｇで測定されるメルトフローレート（ＭＦＲ）が０．０１〜１００ｇ／１０分である
特性（３）：極性基の量が４〜３２重量％である
特性（ｉ）：密度が０．９００〜０．９７０ｇ／ｃｍ３である
特性（ｉｉ）：温度１９０℃、荷重２．１６ｋｇで測定されるメルトフローレート（ＭＦＲ）が０．０１〜１００ｇ／１０分である
特性（ｉｉｉ）：ＤＳＣにて測定される高温側の融点ピークが１２０℃以上である
【請求項２】
ライナー材で形成された中空容器と、該中空容器の外層に設けられた補強材で形成された補強材層とを有し、かつ少なくとも１つの口金部材を有する圧力容器であって、
前記ライナー材は、請求項１に記載の積層体であることを特徴とする圧力容器。
【請求項３】
ライナー材の熱可塑性樹脂層（Ｉ）は、補強材と接触するように配置されることを特徴とする請求項２に記載の圧力容器。
【請求項４】
前記補強材が、繊維強化材であることを特徴とする請求項２又は３に記載の圧力容器。
【請求項５】
請求項１に記載の圧力容器ライナー用積層体で形成された中空容器と、該中空容器の外層に設けられた補強材で形成された補強材層とを有し、かつ少なくとも１つの口金部材を有する圧力容器の製造方法であって、
該中空容器の外層に補強材層を設け、該補強材を熱可塑性樹脂層（Ｉ）と接着又は溶着することを特徴とする圧力容器の製造方法。
【発明の詳細な説明】
【技術分野】
【０００１】
本発明は、圧力容器ライナー用積層体、圧力容器及びその製造方法に関し、さらに詳しくは、合成樹脂製ライナー材で形成される中空容器と外表面の補強材と接着強度が向上し、補強材を形成する補強糸の巻回時の巻きずれを防止することができ、また、成形時の形状保持性が飛躍的に改善された圧力容器ライナー用積層体、さらにはそれを用いてなる圧力容器及びその圧力容器の製造方法に関する。
【背景技術】
【０００２】
天然ガス、圧縮天然ガス、酸素や窒素、水素用タンク等の圧力容器では、充填圧力が２０ＭＰａ〜１００ＭＰａという高圧であり、従来では、鋳鉄、鋼鉄製からなる金属製の高圧容器が一般的に使用されてきたが、昨今の燃費の向上のため自動車部品のプラスチック化や地球温暖化の原因となる二酸化炭素の排出量の抑制などから水素を利用した燃料電池電気自動車等の普及など、自動車等の軽量化や自動車燃料の多様化、リサイクル化等の環境面の変化から、これら圧力容器においても急速にプラスチック化が行われつつある。
【０００３】
例えば、自動車の燃料としてのＬＰＧ、水素を利用した燃料電池が使用され、搭載する圧力容器の軽量化が要望されている。例えば、鋼鉄製の容器に替わるものとして、アルミ製のライナーに炭素繊維で補強したものが使用されているが、さらに軽量化をはかるために、プラスチック製のライナーを使用した樹脂製容器も開発されている。例えば、特許文献１に記載の容器は、ガスバリア性を有する樹脂製のライナーが、耐圧性の繊維強化プラスチック（ＦＲＰ）製の外側殻で覆われてなる圧力容器で、本質的に樹脂からなるので金属製のものに比べて軽量であり、燃費の向上が期待できる。
【０００４】
このような圧力容器は、特許文献１に示されるように、合成樹脂製ライナー材の外表面を繊維強化プラスチック（ＦＲＰ：ｆｉｂｅｒ  ｒｅｉｎｆｏｒｃｅｄ  ｐｌａｓｔｉｃｓ）あるいは繊維強化金属複合材料（ＦＲＭ：ｆｉｂｅｒ  ｒｅｉｎｆｏｒｃｅｄ  ｍｅｔａｌ）などの補強糸をフィラメントワインディング法やテープワインディング法等によって、ヘリカル巻層、フープ巻層、レーベル巻層などで巻回、積層し、熱硬化性樹脂等の接着剤を溶融または硬化させて補強材層を形成させることが一般的に行われているが、これらの繊維糸をライナー材に巻回する際に表面が滑り易く、補強糸がずれてうまく巻回できないという問題が生じている。
【０００５】
一方、このような圧力容器は、容器内へガスを充填し、または容器内からガスを取出すノズルを取付けるために、ノズル取付け用の口金部材が設けられている。口金部材は、通常、容器の内側ライナー材と一体的に結合されるが、ノズルを螺合させるための口金部材は通常金属製であり、内側ライナー材は軽量化または製造工程の簡素化の観点から口金部材とは異種のプラスチック材料から構成されるので、内側ライナー材と口金部材との結合部または界面部のシール性が要求されている。
【０００６】
本出願人は、先に、特許文献２においては、合成樹脂製ライナー材で形成された中空容器と、該中空容器の外層に設けられた補強材で形成された補強材層とを有し、かつ少なくとも１つの口金部材を有する圧力容器であって、該中空容器の外層に設けられた接着剤層を介して中空容器と補強材層とが接着または溶着されている圧力容器を提案している。そしてそこでは、合成樹脂製ライナー材で形成される中空容器の内側壁と口金部材との接着力を向上させ、気密シール性が高められた圧力容器が提案されているが、更に性能の向上したものが求められている。
特に、特許文献２には、接着剤層を形成する接着剤として、官能基を含有するポリオレフィン系樹脂又はその組成物が開示されているが、ライナー材と補強材との接着性にとりわけ優れ、補強材巻き付け時のライナー形状保持に適した材料に関する開示や示唆がなされているとは必ずしも言えない。
【０００７】
昨今の厳しい製品の品質管理、より高圧なガス充填の要求、あるいは、特に従来の圧力容器においては、比較的分子量の大きい天然ガスなどに対して気密性は発揮するものの、分子量の小さい水素ガスについては十分な耐水素ガス透過性を維持しているとはいい難く、より性能の高い接着性能や高品質な製品を、より安価で、簡単な製造工程で製造することが要望されている。
【先行技術文献】
【特許文献】
【０００８】
【特許文献１】特開平７−３０５７９８号公報
【特許文献２】特開２００８−１６４１３１号公報
【発明の概要】
【発明が解決しようとする課題】
【０００９】
本発明の目的は、上記した従来技術の問題点に鑑み、合成樹脂製ライナー材で形成される中空容器の外表面の補強材との接着強度を格段に向上させ、補強材層を形成する補強糸の巻回時の巻きずれを防止し、綺麗で強固な補強層を有する圧力容器を製造することのできる圧力容器ライナー用積層体、さらにはそれを用いてなる圧力容器及びその圧力容器の製造方法を提供することにある。
また、本発明の他の目的は、圧力容器成形時の合成樹脂製ライナー材の形状保持性が格段に向上し、特に中空容器への補強材のワインディング時の形状保持性に優れ、また高温時の変形が起こりにくい圧力容器を製造することのできる圧力容器ライナー用積層体、さらにはそれを用いてなる圧力容器及びその圧力容器の製造方法を提供することにある。
【課題を解決するための手段】
【００１０】
本発明者らは、上記課題を解決するために鋭意検討を重ねた結果、特定の性状、特性および特定の層構成を有する圧力容器ライナー用積層体を用いると、合成樹脂製ライナー材の形状保持性を格段に向上させ、合成樹脂製ライナー材と補強材との接着強度を格段に向上させ、補強材を形成する補強糸の巻回時の巻きずれを防止することができ、成形時の形状保持性が飛躍的に高められることを見出し、本発明を完成するに至った。
【００１１】
すなわち、本発明の第１の発明によれば、下記の特性（１）〜（３）を有する熱可塑性樹脂層（Ｉ）と下記の特性（ｉ）〜（ｉｉｉ）を有するポリエチレン層（ＩＩ）とを含む圧力容器ライナー用積層体であって、
熱可塑性樹脂層（Ｉ）は、エチレン−アクリル酸メチル共重合体、エチレン−アクリル酸エチル共重合体、及び、エチレン−酢酸ビニル共重合体からなる群より選択される少なくとも一種の共重合体を含み、
熱可塑性樹脂層（Ｉ）の厚み割合が１〜９０％、ポリエチレン層（ＩＩ）の厚み割合が９９〜１０％であることを特徴とする圧力容器ライナー用積層体が提供される。
特性（１）：密度が０．９００〜０．９７０ｇ／ｃｍ３である
特性（２）：温度１９０℃、荷重２．１６ｋｇで測定されるメルトフローレート（ＭＦＲ）が０．０１〜１００ｇ／１０分である
特性（３）：極性基の量が４〜３２重量％である
特性（ｉ）：密度が０．９００〜０．９７０ｇ／ｃｍ３である
特性（ｉｉ）：温度１９０℃、荷重２．１６ｋｇで測定されるメルトフローレート（ＭＦＲ）が０．０１〜１００ｇ／１０分である
特性（ｉｉｉ）：ＤＳＣにて測定される高温側の融点ピークが１２０℃以上である
【００１４】
また、本発明の第２の発明によれば、ライナー材で形成された中空容器と、該中空容器の外層に設けられた補強材で形成された補強材層とを有し、かつ少なくとも１つの口金部材を有する圧力容器であって、前記ライナー材は、第１の発明に係る積層体であることを特徴とする圧力容器が提供される。
【００１５】
また、本発明の第３の発明によれば、第２の発明において、ライナー材の熱可塑性樹脂層（Ｉ）は、補強材と接触するように配置されることを特徴とする圧力容器が提供される。
【００１６】
また、本発明の第４の発明によれば、第２又は３の発明において、前記補強材が、繊維強化材であることを特徴とする圧力容器が提供される。
【００１７】
また、本発明の第５の発明によれば、第１の発明に係る圧力容器ライナー用積層体で形成された中空容器と、該中空容器の外層に設けられた補強材で形成された補強材層とを有し、かつ少なくとも１つの口金部材を有する圧力容器の製造方法であって、該中空容器の外層に補強材層を設け、該補強材を熱可塑性樹脂層（Ｉ）と接着又は溶着することを特徴とする圧力容器の製造方法が提供される。
【発明の効果】
【００１８】
本発明の圧力容器ライナー用積層体によれば、合成樹脂製ライナー材で形成される中空容器の外表面の補強材との接着強度を格段に向上させることができ、補強材層を形成する補強糸の巻回時の巻きずれを防止することができ、綺麗で強固な補強層を有する圧力容器を製造することができる。
また、本発明の圧力容器ライナー用積層体によれば、合成樹脂製ライナー材の形状保持性が格段に向上し、特に中空容器への補強材のワインディング時の形状保持性に優れ、また高温時の変形が起こりにくい圧力容器を提供することができる。
【発明を実施するための形態】
【００１９】
本発明の圧力容器ライナー用積層体は、前述した特性（１）〜（３）を有する熱可塑性樹脂層（Ｉ）と、前述した特性（ｉ）〜（ｉｉｉ）を有するポリエチレン層（ＩＩ）とを含み、熱可塑性樹脂層（Ｉ）の厚み割合が１〜９０％、ポリエチレン層（ＩＩ）の厚み割合が９９〜１０％である層構成を有することを特徴とする。
以下に、本発明を項目毎に詳細に説明する。
【００２０】
１．圧力容器の構造
本発明の圧力容器は、例えば特開２００８−１６４１３１号公報に開示されたものと基本的には同様の構造を有する。
本発明に係る圧力容器は、合成樹脂製ライナー材（内層がポリエチレン層で、外層が熱可塑性樹脂層）で形成された中空容器（内側壁）と、該中空容器の外層に補強材で形成された補強材層（外側壁）とで構成され、該中空容器の少なくとも一方の端部には、高圧ガスの充填、排出用のノズル取付けのための口金部材を有し、中空容器と該補強材とは、接着または溶着している。
【００２１】
２．圧力容器構成部材の材料
以下に本発明で使用される原材料について具体的に詳述する。
（１）ライナー材
中空容器を形成するライナー材は、圧力容器に充填された高圧ガスを収納する。当該ライナー材は、充填されたガスが漏洩しないガスバリア性を有することが好ましい。また、ライナー材は、形状保持性が高いものが好ましく、積層材で構成されているものがよい。
【００２２】
（１−１）熱可塑性樹脂層（Ｉ）
本発明の圧力容器ライナー用積層体を構成する熱可塑性樹脂層（Ｉ）は、下記の特性（１）〜（３）を有する熱可塑性樹脂から形成される。なお、熱可塑性樹脂に、ポリエチレンを２５〜７５重量％含有させた場合には、下記の特性（４）を有することが好ましい。
特性（１）：密度が０．９００〜０．９７０ｇ／ｃｍ３である
特性（２）：温度１９０℃、荷重２．１６ｋｇで測定されるメルトフローレート（ＭＦＲ）が０．０１〜１００ｇ／１０分である
特性（３）：極性基の量が２〜４０重量％である
特性（４）：ＤＳＣにて測定される１００℃以上での不融解成分の割合が２０〜７５％である
以下に、上記した特性（１）〜（４）のもつ技術的意義等について説明する。
１．特性（１）
本発明の熱可塑性樹脂は、密度が０．９００〜０．９７０ｇ／ｃｍ３であり、好ましくは、０．９０５〜０．９６５ｇ／ｃｍ３、さらに好ましくは、０．９１０〜０．９６０ｇ／ｃｍ３の範囲であることが、容器の形状保持のために望ましい。なお、密度は、ＪＩＳ  Ｋ７１１２に準拠して測定されるものである。
熱可塑性樹脂の密度は、目的とする圧力容器の性能に応じて適宜選択することが可能であるが、密度が０．９００ｇ／ｃｍ３未満では、剛性が不足しタンク口部強度の剛性が不足し、また、密度が０．９７０ｇ／ｃｍ３を超えるものは耐久性が低下するおそれがある。
【００２３】
２．特性（２）
本発明の熱可塑性樹脂は、温度１９０℃、荷重２．１６ｋｇにて測定されるメルトフローレート（ＭＦＲ）が０．０１〜１００ｇ／１０分であり、好ましくは０．０２〜８０ｇ／１０分、さらに好ましくは０．０５〜５０ｇ／１０分であることが、中空容器の成形性の観点から望ましい。なお、ＭＦＲは、ＪＩＳ  Ｋ６９２２−１（温度１９０℃、荷重２．１６ｋｇ）に準拠して測定されるものである。
熱可塑性樹脂のＭＦＲは、目的とする圧力容器の成形方法に応じて適宜選択することが可能であるが、ＭＦＲが０．０１ｇ／１０分未満では、流動性が低く成形が難しくなり、成形樹脂圧力が上昇し押出特性が低下する。１００ｇ／１０分を超えると衝撃性、耐久性が低下するおそれがある。
【００２４】
３．特性（３）
本発明の熱可塑性樹脂は、極性基の量が２〜４０重量％、好ましくは３〜３６重量％、さらに好ましくは４〜３２重量％である。
極性基の量が２重量％未満では、ライナー材と補強材との接着性が不十分となり、４０重量％を超えると耐久性が低下する傾向がある。
本発明において、極性基とは、電気的に極性を有する置換基をいうが、好ましくは、（ａ）カルボキシル基、（ｂ）カルボン酸無水物基、（ｃ）アルコキシカルボニル基、および（ｄ）アシルオキシ基からなる群から選択される少なくとも１種の置換基が、補強材との接着性、圧力容器としての耐久性等の観点から好適である。
【００２５】
（ａ）カルボキシル基は、カルボン酸の特性基であり、−ＣＯＯＨである。
（ｂ）カルボン酸無水物基は、カルボン酸のカルボキシル２個から１分子の水が失われて、二つのアシル基が１個の酸素原子を共有する化学構造の基であり、−ＣＯ−Ｏ−ＣＯ−を意味する。
（ｃ）アルコキシカルボニル基は、−ＣＯＯＲを意味し、本発明において、ＲはＣｎＨ２ｎ＋１−（ｎは１〜６）を意味し、ｎは、好ましくは１〜４である。具体的には、メトキシカルボニル基、エトキシカルボニル基が挙げられる。
（ｄ）アシルオキシ基は、−ＯＣＯＲ１を意味し、本発明において、Ｒ１はＣｎＨ２ｎ＋１−（ｎは１〜６）を意味し、ｎは、好ましくは１〜４、さらに好ましくは１である。具体的には、アセチルオキシ基（アセトキシ又はアセトキシル基ともいう）が挙げられる。
当該極性基の量は、熱可塑性樹脂を製造する際に使用されたラジカル重合性酸コモノマー、アクリル酸エステルコモノマー、メタクリル酸エステルコモノマー、カルボン酸ビニルエステルコモノマー等の量から求めることができ、ＩＲ及びＮＭＲ解析等により測定することができる。
【００２６】
４．特性（４）
熱可塑性樹脂層（Ｉ）には、必要により極性基を有しない熱可塑性樹脂を混合して使用することができる。本発明の効果を損なわない範囲で、ポリエチレンを２５〜７５重量％含有させることができる。熱可塑性樹脂層（Ｉ）の熱可塑性樹脂に、ポリエチレンを２５〜７５重量％含有させた場合、次の特性（４）を有することが好ましい。
本発明の熱可塑性樹脂は、ＤＳＣにて測定される１００℃以上での不融解成分の割合が２０〜７５％、好ましくは２１〜７０％であることが、容器の形状保持性及び耐熱性の観点、特に中空容器への補強材のワインディング時の形状保持性の観点から望ましい。
ＤＳＣにて測定される１００℃以上での不融解成分の割合は、熱可塑性樹脂に含まれる結晶性成分量の指標であり、当該割合の範囲内とすることにより成形品形状を十分に保持することができ、当該範囲外では、成形品の形状を保持しにくくなる傾向がある。
【００２７】
ＤＳＣは、示差走査熱量測定（ｄｉｆｆｅｒｅｎｔｉａｌ  ｓｃａｎｎｉｎｇ  ｃａｌｏｒｉｍｅｔｒｙ）を意味し、示差走査熱量計を用いて測定され、結晶化温度、結晶化度等が測定される。ＤＳＣは、試料及び基準物質を加熱又は冷却によって調節しながら等しい条件下におき、この二つの間の温度差をゼロに保つに必要なエネルギーを時間又は温度に対して記録する方法に基づいて測定される。
ＤＳＣの測定では、試料を底の平らな金属容器につめ、精秤して試料量を求めたのち蓋で覆い、測定装置に設置し、経時に熱量変化量（ΔＨ）を求める。
本願発明において、１００℃以上での不融解成分の割合は、熱可塑性樹脂組成物試料のＤＳＣの１００℃以上の熱量変化量（ΔＨｗ）及び組成物の成分であるポリエチレンのみの試料のＤＳＣ熱量変化量（ΔＨａ）を測定し、ΔＨｗ／ΔＨａの割合（百分率）として求められる。
【００２８】
５．共重合体（Ｂ）
本発明の熱可塑性樹脂層（Ｉ）を形成する熱可塑性樹脂は、好ましくは、エチレンとラジカル重合性酸コモノマー、アクリル酸エステルコモノマー、メタクリル酸エステルコモノマー、およびカルボン酸ビニルエステルコモノマーからなる群から選択される少なくとも１種のコモノマーとの共重合体（Ｂ）が好適である。
上記共重合体（Ｂ）は、特定のエチレン−極性コモノマー共重合体であり、この特定の共重合体を用いることが、本発明の特徴の一つでもある。
【００２９】
共重合体（Ｂ）のラジカル重合性酸コモノマーとしては、具体的には、マレイン酸、フマル酸、シトラコン酸、イタコン酸等のα，β−不飽和ジカルボン酸またはこれらの無水物、アクリル酸、メタクリル酸、クロトン酸、ビニル酢酸、ペンテン酸等の不飽和モノカルボン酸等が挙げられ、中でも無水マレイン酸、アクリル酸、メタクリル酸が好ましい。
共重合体（Ｂ）のアクリル酸エステルコモノマーとしては、具体的には、アクリル酸メチル、アクリル酸エチル、アクリル酸プロピル、アクリル酸ブチル等が挙げられ、中でもアクリル酸メチル、アクリル酸エチルが好ましい。
共重合体（Ｂ）のメタクリル酸エステルコモノマーとしては、具体的には、メタクリル酸メチル、メタクリル酸エチル、メタクリル酸プロピル、メタクリル酸ブチル等が挙げられ、中でもメタクリル酸メチル、メタクリル酸エチルが好ましい。
共重合体（Ｂ）のカルボン酸ビニルエステルコモノマーとしては、具体的には、ギ酸ビニル、酢酸ビニル、プロピオン酸ビニル、酪酸ビニル等が挙げられ、中でも酢酸ビニルが好ましい。
【００３０】
共重合体（Ｂ）の具体例としては、二元系共重合体として、例えば、エチレン−アクリル酸共重合体、エチレン−メタアクリル酸共重合体、エチレン−無水マレイン酸共重合体、エチレン−アクリル酸メチル共重合体、エチレン−アクリル酸エチル共重合体、エチレン−メタクリル酸メチル共重合体、エチレン−メタクリル酸エチル共重合体、エチレン−酢酸ビニル共重合体が挙げられる。
三元系共重合体として、例えば、エチレン−アクリル酸−アクリル酸メチル共重合体、エチレン−アクリル酸−アクリル酸エチル共重合体、エチレン−アクリル酸−酢酸ビニル共重合体、エチレン−メタクリル酸−メタクリル酸メチル共重合体、エチレン−メタクリル酸−メタクリル酸エチル共重合体、エチレン−メタクリル酸−酢酸ビニル共重合体、エチレン−無水マレイン酸−アクリル酸メチル共重合体、エチレン−無水マレイン酸−アクリル酸エチル共重合体、エチレン−無水マレイン酸−メタクリル酸メチル共重合体、エチレン−無水マレイン酸−メタクリル酸エチル共重合体、エチレン−無水マレイン酸−酢酸ビニル共重合体が挙げられる。
さらに、上記のコモノマーを組み合わせた多元系の共重合体も挙げられる。
上記共重合体の中でも、特に、エチレン−アクリル酸共重合体、エチレン−メタアクリル酸共重合体、エチレン−アクリル酸メチル共重合体、エチレン−アクリル酸エチル共重合体、エチレン−無水マレイン酸−アクリル酸メチル共重合体、エチレン−無水マレイン酸−アクリル酸エチル共重合体、エチレン−無水マレイン酸−メタクリル酸メチル共重合体、エチレン−無水マレイン酸−メタクリル酸エチル共重合体が好ましい。
【００３１】
上記のコモノマーの含有量は、極性基の量が５〜４０重量％となるようにすることが好ましい。極性基の量が５重量％未満では、ライナー材と補強材との接着性が不十分となり、４０重量％を超えると耐久性が低下する傾向がある。
共重合体（Ｂ）は、チューブラー反応器、オートクレーブ反応器等を使用して高圧ラジカル重合法等により製造することができるが、イオン重合により製造されるものであってもよい。具体的には、特開昭６０−２４０７０５号公報、特開平８−１１３６８０号公報等の実施例に記載の共重合体の製造方法に準じて製造することができる。
【００３２】
本発明の共重合体（Ｂ）は、温度１９０℃、荷重２．１６ｋｇにて測定されるメルトフローレート（ＭＦＲ）が０．０１〜１００ｇ／１０分のものが好ましく、さらに好ましくは０．０２〜８０ｇ／１０分、さらに好ましくは０．０５〜５０ｇ／１０分であることが、中空容器の成形性の観点から望ましい。
ＭＦＲは、目的とする圧力容器の成形方法に応じて適宜選択することが可能であるが、ＭＦＲが０．０１ｇ／１０分未満では、流動性が低く成形が難しくなり、成形樹脂圧力が上昇し押出特性が低下する。１００ｇ／１０分を超えると衝撃性、耐久性が低下するおそれがある。なお、ＭＦＲは、ＪＩＳ  Ｋ６９２２−２（温度１９０℃、荷重２．１６ｋｇ）に準拠して測定される。
【００３３】
（１−２）ポリエチレン層（ＩＩ）
本発明の圧力容器ライナー用積層体を構成するポリエチレン層（ＩＩ）は、下記の特性（ｉ）〜（ｉｉｉ）を有するポリエチレン（Ａ）から形成される。
特性（ｉ）：密度が０．９００〜０．９７０ｇ／ｃｍ３である
特性（ｉｉ）：温度１９０℃、荷重２．１６ｋｇで測定されるメルトフローレート（ＭＦＲ）が０．０１〜１００ｇ／１０分である
特性（ｉｉｉ）：ＤＳＣにて測定される高温側の融点ピークが１２０℃以上である
以下に、上記した特性（ｉ）〜（ｉｉｉ）のもつ技術的意義等について説明する。
【００３４】
１．特性（ｉ）
本発明のポリエチレン（Ａ）は、エチレン単独重合体あるいはエチレンとα−オレフィンとの共重合体を指すものであり、密度０．９００〜０．９７０ｇ／ｃｍ３、好ましくは密度０．９０５〜０．９６５ｇ／ｃｍ３、より好ましくは０．９１０〜０．９６０ｇ／ｃｍ３の範囲であることが、容器の形状保持のために望ましい。
ポリエチレン（Ａ）の密度は、目的とする圧力容器の性能に応じて設定することが可能であるが、密度が０．９００ｇ／ｃｍ３未満では、剛性が不足しタンク口部強度の剛性が不足し、また、密度が０．９７０ｇ／ｃｍ３を超えるものは耐久性が低下するおそれがある。なお、当該密度は、ＪＩＳ  Ｋ７１１２に準拠して測定される。
【００３５】
２．特性（ｉｉ）
本発明のポリエチレン（Ａ）は、温度１９０℃、荷重２．１６ｋｇにて測定されるメルトフローレート（ＭＦＲ）が０．０１〜１００ｇ／１０分であり、好ましくは０．０２〜８０ｇ／１０分、さらに好ましくは０．０５〜５０ｇ／１０分であることが、中空容器の成形性の観点から望ましい。
ポリエチレン（Ａ）のＭＦＲは、目的とする圧力容器の成形方法に応じて設定することが可能であるが、ＭＦＲが０．０１ｇ／１０分未満では、流動性が低く成形が難しくなり、成形樹脂圧力が上昇し押出特性が低下する。１００ｇ／１０分を超えると衝撃性、耐久性が低下するおそれがある。なお、当該ＭＦＲは、ＪＩＳ  Ｋ６９２２−１（温度１９０℃、荷重２．１６ｋｇ）に準拠して測定される。
【００３６】
３．特性（ｉｉｉ）
本発明のポリエチレン（Ａ）は、示差走査熱量測定（ＤＳＣ）にて測定される高温側のピーク温度が１２０℃以上であり、好ましくは１２５℃以上である。この要件を満足することが、容器の形状保持性及び耐熱性の観点から、特に中空容器への補強材のワインディング時の形状保持性の観点から望ましい。
ＤＳＣにて測定される高温側のピーク温度は、結晶化温度の指標であり、高温側のピーク温度を１２０℃以上とすることにより、成形時の容器形状を確実に保持することができ、１２０℃未満では、成形時の容器形状を十分保持しにくくなる傾向がある。
ＤＳＣの高温側のピーク温度を１２０℃以上とするためには、融点が１２０℃以上の材料を選択することが重要であるが、選択に際しては、補強材との接着性についても考慮しなければならない。
なお、ＤＳＣは、示差走査熱量測定（ｄｉｆｆｅｒｅｎｔｉａｌ  ｓｃａｎｎｉｎｇ  ｃａｌｏｒｉｍｅｔｒｙ）を意味し、示差走査熱量計を用いて測定され、結晶化温度、結晶化度等が測定される。ＤＳＣは、試料及び基準物質を加熱又は冷却によって調節しながら等しい条件下におき、この二つの間の温度差をゼロに保つに必要なエネルギーを時間又は温度に対して記録する方法に基づいて測定される。
ＤＳＣの測定では、試料を底の平らな金属容器につめ、精秤して試料量を求めたのち蓋で覆い、測定装置に設置し、経時に熱量変化量（ΔＨ）を測定し、高温側のピーク温度を求める。
【００３７】
４．ポリエチレン（Ａ）
本発明のポリエチレン（Ａ）は、エチレン単独重合体あるいはエチレンとα−オレフィンとの共重合体である。
ポリエチレン（Ａ）のα−オレフィンとしては、直鎖または分岐鎖状の炭素数３〜２０のオレフィンが好ましく、例えば、プロピレン、１−ブテン、１−ペンテン、１−ヘキセン、４−メチル−１−ペンテン、１−オクテン、１−デセンを挙げることができる。またそれらを２種類以上組み合わせて使用しても良い。これら共重合体の中でも、エチレン・１−ブテン共重合体、エチレン・１−ヘキセン共重合体、エチレン・４−メチル−１−ペンテン共重合体、エチレン・１−オクテン共重合体が経済性の観点から好適である。
【００３８】
本発明のポリエチレン（Ａ）は、特に製造触媒、プロセス等に限定されるものではなく、非特許文献１（成書『ポリエチレン技術読本』（松浦一雄・三上尚孝編著、工業調査会刊行、２００１年）のｐ．１２３〜１６０、ｐ．１６３〜１９６等）に記載されている方法により製造することが可能である。即ち、チーグラー系触媒、クロム系触媒、シングルサイト系触媒等や、スラリー法、溶液法、気相法の各重合様式にて、各種重合反応器、重合条件、触媒にて製造することが可能である。
【００３９】
（１−３）層構成
本発明の合成樹脂製ライナー材は、前述した特定の熱可塑性樹脂層（Ｉ）と特定のポリエチレン層（ＩＩ）とを含むが、その際、層構成としては、熱可塑性樹脂層（Ｉ）の厚み割合が１〜９０％、ポリエチレン層（ＩＩ）の厚み割合が９９〜１０％であることが重要である。熱可塑性樹脂層（Ｉ）の厚み割合が１％未満、ポリエチレン層（ＩＩ）の厚み割合が９９％超えると、層構成を維持するのが困難であったり、接着強度が確保できないといった問題があり、一方、熱可塑性樹脂層（Ｉ）の厚み割合が９０％超え、ポリエチレン層（ＩＩ）の厚み割合が１０％未満であると、ワインディング時の形状が保持できない問題がある。
【００４０】
また、本発明の合成樹脂製ライナー材は、上記熱可塑性樹脂の複合材料とから構成されていても良い。
複合材や積層材としては、例えば、上記熱可塑性樹脂に、エンジニアリングプラスチック、金属部材、無機充填剤等が分散された複合材などが挙げられる。また積層材では、熱可塑性樹脂層／接着材層／バリア層を含む多層構造からなる積層体としてもよい。
上記エンジニアリングプラスチックとしては、ナイロン６、ナイロン６，６、ナイロン１１、ナイロン１２などの各種ポリアミド（ＰＡ）樹脂、エチレン−ビニルアルコール共重合体（ＥＶＯＨ）、ポリビニルアルコール（ＰＶＡ）などの水酸基含有各種樹脂、ポリエチレンテレフタラート（ＰＥＴ）やポリブチレンテレフタラート（ＰＢＴ）などの各種ポリエステル樹脂、アクリロニトリル−ブタジエン−スチレン共重合樹脂（ＡＢＳ）、アクリロニトリル−スチレン共重合樹脂（ＡＳ）、ポリカーボネート（ＰＣ）樹脂、ポリアセタール（ＰＯＭ）樹脂やポリフェニレンエーテル（ＰＰＥ）樹脂、ポリフェニレンサルファイド（ＰＰＳ）樹脂、芳香族ポリエステル樹脂（液晶樹脂）などが挙げられる。
また、上記金属部材としては、鉄、アルミニウム、銅、錫、亜鉛、ニッケル、チタンなどの金属類や、これらを含む各種合金が挙げられる。
また、無機充填剤としては、タルク、シリカ、炭酸カルシウム、雲母などが挙げられるが、剛性を確保する場合には、平均粒径が０．５〜１０μｍの板状晶構造を持つ微粉末タルクや微粉末雲母等が好適である。
【００４１】
積層構造の合成樹脂製ライナー材としては、上記の熱可塑性樹脂層（Ｉ）／ポリエチレン層（ＩＩ）／接着材層／バリア層の構造、熱可塑性樹脂層（Ｉ）／ポリエチレン層（ＩＩ）／接着材層／バリア層／接着材層／熱可塑性樹脂層（Ｉ）の構造、熱可塑性樹脂層（Ｉ）／ポリエチレン層（ＩＩ）／リグラインド層／接着材層／バリア層／接着材層／熱可塑性樹脂層（Ｉ）の構造なども、圧力容器に適用することができる。
前記バリア材層に好適に使用される材料としては、ポリアミド樹脂、ポリエステル樹脂、エチレン−ビニルアルコール共重合体、ポリビニルアルコール樹脂、ポリアクリロニトリル樹脂等が挙げられる。
ここで用いる接着材層としては、エポキシ樹脂、ポリウレタン樹脂などの熱硬化性樹脂等の公知の接着性樹脂を使用することができ、また特開２００８−１６４１３１号公報記載の接着剤を使用することもできる。
これらの合成樹脂製ライナー材を用いて容器とする場合には、ブロー成形法、射出成形法、回転成形法、圧縮成形法などの成形法によって製造することができる。中でも、ブロー成形法によるのが好適である。
【００４２】
（２）補強材
補強材層を形成する補強材は、合成樹脂ライナー材から形成される中空容器の外層を覆い、圧力容器の耐圧性能を向上させる役割を担うものであり、アルミニウム、チタン、軽合金等の軽量の金属材で構成しても良いが、成形加工性、軽量化等を考慮した場合においては、繊維強化プラスチック（ＦＲＰ：ｆｉｂｅｒ  ｒｅｉｎｆｏｒｃｅｄ  ｐｌａｓｔｉｃｓ）あるいは繊維強化金属複合材料（ＦＲＭ：ｆｉｂｅｒ  ｒｅｉｎｆｏｒｃｅｄ  ｍｅｔａｌ）で構成するのが好適である。
すなわち、内側壁を構成する合成樹脂製ライナー材をブロー成形等で成形された筒状の容器の外周壁を覆うようにＦＲＰ製の外側壁を形成するためには、上記内側の筒状容器の外周壁に、フィラメントワインディング法やテープワインディング法等によって、ヘリカル巻層、フープ巻層、レーベル巻層など、樹脂を含浸させた補強繊維束の巻層を形成し、ついで樹脂を加熱して溶融または硬化させて成形することによって外側壁の補強材とすることができる。外側壁の強度は、巻層を形成する補強繊維の種類、巻付ける形態、巻付ける厚さ、樹脂の種類、樹脂の厚さなどを種々組み合わせることにより、目的に合った好適な範囲の補強材とすることができる。また、織物などのような連続した補強材に熱硬化性樹脂を含浸させて成形するプリプレグ法等他の方法で形成しても良い。
【００４３】
巻層を形成するための補強繊維としては、炭素繊維、ガラス繊維、有機高弾性率繊維（例えばポリアラミド繊維）、無機繊維（金属繊維、ウイスカ、ボロン繊維、チラノ繊維）などが挙げられ、これらは１種類でも２種類以上を併用することもできる。
これらの補強繊維は、比強度、比弾性率に優れ、ワインディング時の糸切れや毛羽の発生がほとんどなく、生産性の向上、耐衝撃性能の低下防止などの観点から、炭素繊維が特に好ましい。
【００４４】
補強材の形成用樹脂としては、エポキシ樹脂、不飽和ポリエステル樹脂、ユリア樹脂、フェノール樹脂、メラミン樹脂、ポリウレタン樹脂ポリイミド樹脂などの熱硬化性樹脂、ポリアミド樹脂、ポリエチレンテレフタレート、ポリブチレンテレフタレートなどのポリエステル樹脂、ＡＢＳ樹脂、ポリエーテルケトン、ポリフェニレンサルファイドなどのエンジニアリングプラスチック、ポリプロピレン、ポリ４−メチル−１−ペンテン樹脂等の樹脂が挙げられる。これらの中でも、耐熱性、強度等の性能や経済性等の観点から一般的に熱硬化性樹脂が好ましい。
【００４５】
（３）口金部材
本発明の口金部材は、高圧ガスの充填、排出用のノズル取付けのために設置されるものである。例えば、一端が円盤状の形状を有したものは、圧力容器の内側の中空容器と外側の耐圧性の補強材層で構成される円筒状容器の少なくとも一端に、該圧力容器の中空容器の内側の半球状の肩部に、口金部材の円盤部が埋設するようにインサートされ、好ましくは予め粗面化や下地処理剤を施しておいた口金部材の円盤部と中空容器の最内層の接着材層とを当接して接着または溶着することができる。
【００４６】
口金部材の材料は、金属、樹脂いずれであってもよい。金属としては、アルミニウム、銅、ニッケル、チタンの合金、これらの複合材料、およびクロム・モリブデン合金等が挙げられる。樹脂としては、ナイロン６、ナイロン６６、ナイロン１２、ポリエチレンテレフタレート、ポリブチレンテレフタレート、ポリメチルペンテン、ポリカーボネート、変性ポリフェニレンオキサイド、ポリエーテルスルホン、ポリフェニレンスルフィド、ポリアリレート、ポリエーテルイミド、ポリエーテルエーテルケトン、ポリイミド、ポリアミドイミド、ポリオキシベンジレン、ポリスルホンなどの高剛性で耐熱性に優れたものが挙げられる。口金部材の材料は、これら例示したものに限定されるものではないが金属材料、特に軽量、機械的強度が高く、耐圧性で、比較的安価なアルミニウム、その合金などが好ましい。
【００４７】
３．圧力容器の製造方法
以下に本発明の圧力容器の製造方法について具体的に詳述する。
本発明に係る圧力容器は、合成樹脂製ライナー材（内層がポリエチレン層で、外層が熱可塑性樹脂層）で形成された中空容器（内側壁）と、該中空容器の外層に補強材で形成された補強材層（外側壁）とで構成され、該中空容器の少なくとも一方の端部には、高圧ガスの充填、排出用のノズル取付けのための口金部材を有し、中空容器の熱可塑性樹脂と該補強材とを接着または溶着している。
【００４８】
本発明の好ましい製造方法の一例を示すと、以下の通りである。
成形用の支持台に係属する支持部の上下に、好ましくは予め表面処理または下地処理した口金部材が支持され、ブロー成形機の多層ダイスからポリエチレン層の内層と、熱可塑性樹脂層の外層で構成される合成樹脂製ライナー材で形成される円筒状のパリソンを押出し、金型間に口金部材の円盤部を覆うようにパリソンを垂下させる。次いで、まだ十分パリソンがやわらかい状態で該金型を型閉めし、該パリソンを縮径し、口金部材の首部をパリソンと同時にピンチし、ブローアップしてパリソンを膨張させて金型内壁に押圧して中空容器を形成する。
一方、合成樹脂製ライナー材と、口金部材の円盤部とは、内圧により押圧されて密着し、接着または融着されて口金部材付中空容器が作製される。次いで中空容器の外周を、エポキシ樹脂、不飽和ポリエステル樹脂などの熱硬化性樹脂を含浸させた、カーボンファイバー糸や束、ガラス繊維糸や束等の繊維糸、束、マット等により、被覆して、硬化させて繊維強化材（ＣＦＲＰ，ＧＦＲＰ等）層を形成して、圧力容器を製造する。
【００４９】
本発明の圧力容器の製造方法において、合成樹脂製ライナーで形成される中空容器及び接着材層の製造方法は、上記ブロー成形法に限定されるものではなく、射出成形、回転成形、圧縮成形等によって製造しても良いが、製造時に中空容器及び接着材層の形成と同時に口金部材が一体化でき、製造工程が簡単で、製造コストも安く、経済的であるため、多層ブロー成形法を採用することも可能である。
【００５０】
４．圧力容器の用途
本発明に係る圧力容器は、これに充填されるガスの種類は制限されるものではなく、天然ガス、液化石油ガス、窒素、酸素、水素、ヘリウムガス、アルゴンガス、ロケット燃料などが挙げられ、補強材と合成樹脂製ライナー材で形成される中空容器との接着力が高く、気密性が優れるなどの点からいずれにも好適に使用できる圧力容器である。
【実施例】
【００５１】
以下、実施例により本発明を具体的に説明するが、本発明はその要旨を逸脱しない限りこれら実施例によって制約をうけるものではない。なお、実施例および比較例において、物性の評価は次の通りである。
【００５２】
１．測定法
（１）密度：ＪＩＳ  Ｋ７１１２に準拠して測定した（単位：ｇ／ｃｍ３）。
（２）メルトフローレート（ＭＦＲ）：ＪＩＳ  Ｋ６９２２−１（温度１９０℃、荷重２．１６ｋｇ）に準拠して測定した（単位：ｇ／１０分）。
（３）示差走査熱量測定（ＤＳＣ）にて測定される高温側のピーク温度：
示差走査熱量計を用いて測定した。試料及び基準物質を加熱又は冷却によって調節しながら等しい条件下におき、この二つの間の温度差をゼロに保つに必要なエネルギーを時間又は温度に対して記録する原理に基づいて測定した。ＤＳＣの測定では、試料を底の平らな金属容器につめ、精秤して試料量を求めたのち蓋で覆い、測定装置に設置し、経時に熱量変化量（ΔＨ）を測定し、高温側のピーク温度を求めた。
（４）ＤＳＣにて測定される１００℃以上での不融解成分の割合：
ＤＳＣの測定では、試料を底の平らな金属容器につめ、精秤して試料量を求めたのち蓋で覆い、測定装置に設置し、経時に熱量変化量（ΔＨ）を求めた。熱可塑性樹脂組成物試料のＤＳＣの１００℃以上の熱量変化量（ΔＨｗ）及び組成物の成分であるポリエチレン（Ａ）のみの試料のＤＳＣの１００℃以上の熱量変化量（ΔＨａ）を測定し、ΔＨｗ／ΔＨａの割合（百分率）として求めた。
（５）極性基の量：
熱可塑性樹脂を製造する際に使用されたラジカル重合性酸コモノマー、アクリル酸エステルコモノマー、メタクリル酸エステルコモノマー、カルボン酸ビニルエステルコモノマー等の量から求めた。
（６）接着強度：
ＪＩＳ  Ｋ５６００−５−６のクロスカット法に準じて測定し、分類０から２（良好で格段に優れているもの）を○、分類３から５のものを×とした。
（７）形状保持性：
ライナーの厚みが１ｍｍであって、内容積が５００ｍｌの小型中空容器を成形し、当該容器を１００℃の雰囲気中に１時間保管後、容器形状に変形が生じていないもの（良好で格段に優れているもの）を○、それ以外のものを×とした。
【００５３】
２．使用原料
［熱可塑性樹脂層（Ｉ）の共重合体（Ｂ）］
ＣＰ（１）：エチレン−アクリル酸メチル共重合体、密度＝０．９４３ｇ／ｃｍ３、ＭＦＲ（温度１９０℃、荷重２．１６ｋｇ）＝２．０ｇ／１０分、アクリル酸メチル含有量＝２４重量％（メトキシカルボニル基含有量＝１６．５重量％）
ＣＰ（２）：エチレン−アクリル酸エチル共重合体、密度＝０．９３４ｇ／ｃｍ３、ＭＦＲ（温度１９０℃、荷重２．１６ｋｇ）＝５．０ｇ／１０分、アクリル酸エチル含有量＝２０重量％（エトキシカルボニル基含有量＝１４．６重量％）
ＣＰ（３）：エチレン−酢酸ビニル共重合体、密度＝０．９３８ｇ／ｃｍ３、ＭＦＲ（温度１９０℃、荷重２．１６ｋｇ）＝１．５ｇ／１０分、酢酸ビニル含有量＝１５重量％（メアセチルオキシ基含有量＝１０．３重量％）
ＣＰ（５）：ＣＰ（１）２５重量％及びＰＥ（１）７５重量％を混合した組成物、密度＝０．９４４ｇ／ｃｍ３、ＭＦＲ（温度１９０℃、荷重２．１６ｋｇ）＝０．１ｇ／１０分、アクリル酸メチル含有量＝６重量％（メトキシカルボニル基含有量＝４．１重量％）
ＣＰ（６）：無水マレイン酸変性ポリエチレン、密度＝０．９３３ｇ／ｃｍ３、ＭＦＲ（温度１９０℃、荷重２．１６ｋｇ）＝０．５ｇ／１０分、無水マレイン酸グラフトモノマー量＝０．５重量％（カルボン酸無水物基含有量＝０．３４重量％）
［ポリエチレン層（ＩＩ）のポリエチレン（Ａ）］
ＰＥ（１）：エチレン・１−ヘキセン共重合体、密度＝０．９４５ｇ／ｃｍ３、ＭＦＲ（温度１９０℃、荷重２．１６ｋｇ）＝０．０３ｇ／１０分
ＰＥ（３）：エチレン−プロピレン−１−ヘキセン共重合体、密度＝０．９０１ｇ／ｃｍ３、ＭＦＲ（温度１９０℃、荷重２．１６ｋｇ）＝２．０ｇ／１０分
ＰＥ（４）：エチレン−１−ヘキセン共重合体、密度＝０．９１８ｇ／ｃｍ３、ＭＦＲ（温度１９０℃、荷重２．１６ｋｇ）＝２．０ｇ／１０分
【００５４】
（実施例１〜６、比較例１〜４）
表１に示した熱可塑性樹脂を用いて、ライナー材として、厚みが１ｍｍであって、内容積が５００ｍｌの小型中空容器を成形した。ライナー材としての評価結果を表１に示した。
【００５５】
（実施例７）
［圧力容器の製造］
本願の実施例１〜６の積層体をライナー材として使用し、下記に述べるように、特開２００８−１６４１３１号公報の実施例に記載の圧力容器の製造方法に準じて、圧力容器を製造した。
表面の一部に接着剤を塗布した口金部材を支持部の上下にインサートし、口金部材を設置して、日本製鋼所社製ＮＢ１５０連続中空成形機を用い、成形温度２１０℃、ブロー圧力１．４ＭＰａ、金型温度２０℃、吹込時間１３０ｓｅｃの条件で、ブロー成形機のダイスから熱可塑性樹脂層で形成された筒状のパリソンを押出し、金型間に垂下させ、まだ十分パリソンがやわらかい状態で該金型を型閉めし、該パリソンを縮径し、口金部材料の首部をパリソンと同時にピンチして、空気等の気体をブローしてパリソンを金型壁に押圧して合成樹脂ライナー材で形成された中空容器を形成した。一方、ライナー材の肩部と口金部材とが内圧により合成樹脂製ライナー材の内側の肩部に押圧して、融着され、層厚０．３ｍｍ、容積３０リットルの中空容器を作製した。次いで中空容器の外周を、熱硬化性樹脂であるエポキシ樹脂を含浸させた、カーボンファイバー束を被覆巻回した後、加熱押圧して、中空容器とエポキシ樹脂を含浸させたカーボンファイバー繊維強化材（ＣＦＲＰ）を融着し、エポキシ樹脂を硬化させて補強材層を形成し、圧力容器を製造した。
その結果、外観良好な圧力容器が得られた。
【００５６】
【表１】
0005915321.tif 000002
【００５７】
表１に示す結果から明らかなように、本発明の要件を満たす積層体をライナー材として使用した実施例１〜６では、補強材との接着強度が格段に向上し、かつ成形時の形状保持性が良好であり、従来のような補強材とのファイバーずれが発生せず、均一にファイバーが巻回できるため補強効果が向上するばかりでなく、外観も良好な圧力容器が得られた。
一方、本発明の要件の一部又は全てを満たさない積層体をライナー材として使用した比較１〜４では、形状保持性または接着強度の面で著しい問題が発生した。
【産業上の利用可能性】
【００５８】
本発明の圧力容器（耐圧容器）およびその製造方法によれば、合成樹脂製ライナー材で形成される中空容器の外表面の補強材との接着強度を格段に向上させることができ、補強材層を形成する補強糸の巻回時の巻きずれを防止することができ、綺麗で強固な補強層を有する圧力容器を提供できる。そのため、本発明の圧力容器（耐圧容器）は、例えば、家庭用液化石油ガス容器、自動車用液化石油ガス容器、圧縮天然ガス（ＣＮＧ：Ｃｏｍｐｒｅｓｓｅｄ  Ｎａｔｕｒａｌ  Ｇａｓ）、酸素や窒素などを保管する産業用圧力容器、燃料電池用水素タンク等として特に好適であり、その工業的価値は極めて大きい。